(57)【要約】      （修正有）【課題】水ボトルの内側に負圧が形成されることを防ぎ、水ボトル内の液体が外部にスムーズに流れ出す蛇口を提供する。【解決手段】蛇口１０は、一端が水ボトルと連結される係合部と、係合部に穿設される水栓２０と、を備え、水栓２０は、係合部の位置に対して回転し、水ボトルの内外部の気体及び液体のそれぞれ流通構造を形成することで、水ボトルの外部の空気が蛇口１０を介して水ボトルの内部に流れ込み、水ボトルの内部の液体が蛇口１０を介して水ボトルの外部に流れ出す。【選択図】図１Ｄ
0003228523.tif 000002
【実用新案登録請求の範囲】
【請求項１】
接続部を含む係合部と、前記係合部の栓溝内に穿設される水栓と、
を備え、
前記接続部の一端が１つの傾斜角度で前記係合部の栓溝と連結し、他端には水ボトルをロックして連結するためのロック蓋があり、
前記水栓は、前記係合部の位置に対して回転し、前記水ボトルの内外部の気体及び液体のそれぞれ流通構造を形成することで、前記水ボトルの外部の空気が蛇口を介して前記水ボトルの内部に流れ込んで前記水ボトルの内圧を維持し、且つ、前記水ボトルの内部の液体が前記蛇口を介して前記水ボトルの外部に流れ込み、
前記接続部と前記栓溝との連結位置には気孔及び導水孔があり、前記傾斜角度は前記水ボトルを傾斜させた時に、前記気孔の地面からの水平位置が前記導水孔の地面からの水平位置より高くなることを特徴とする蛇口。
【請求項２】
前記傾斜角度は０度〜９０度であることを特徴とする請求項１に記載の蛇口。
【請求項３】
前記水栓は中心軸及びレバーを含み、
前記中心軸は、中空の軸腔と、通気溝及び水穴を有し、前記水穴は前記中心軸を穿設し、前記中心軸の中空腔の内部と外部の連通孔径を形成し、前記通気溝は、前記中心軸の外面側に位置する凹溝であり、前記中心軸の中空腔の内部と連通しない、
前記レバーは、トップカバーを介して前記中心軸と連結して前記中心軸を回転することを特徴とする請求項１に記載の蛇口。
【請求項４】
前記水栓は、係合部に対して前記中心軸方向に沿って第２の位置まで回転すると、水ボトルの内外部の気体の流通構造を形成し、気孔と前記通気溝との対応連通によって、前記水ボトルの外部の空気が前記蛇口を介して前記水ボトルの内部に流れ込んで前記水ボトルの内圧をバランスさせることを特徴とする請求項３に記載の蛇口。
【請求項５】
前記水栓は、前記係合部に対して前記中心軸方向に沿って第１の位置まで回転すると、前記水ボトルの内外部の液体の流通構造を形成し、導水孔と水孔との対応連通によって、前記水ボトル内部の液体が前記蛇口を介して前記水ボトルの外部に流れ込むことを特徴とする請求項４に記載の蛇口。
【請求項６】
オフから回転してオンにする時に、まず前記第１の位置から第２の位置まで移動し、前記導水孔の孔径が気孔の孔径より大きくなり、中心軸が前記第１の位置まで回転すると、前記中心軸の水孔が前記導水孔と連通し、この後、前記中心軸が前記第２の位置まで回転すると、前記中心軸の通気溝が前記気孔と再び連通し、前記水孔及び前記導水孔を介して前記水ボトル内の液体を流通することを特徴とする請求項５に記載の蛇口。
【請求項７】
前記傾斜角度は、前記水ボトルに対応して傾斜した後に前記栓溝を固定ように設置され、且つ、軸腔を形成した出水口が地面に垂直する方向に前記水ボトル内の液体を導出することを特徴とする請求項１に記載の蛇口。
【請求項８】
水栓は係合部の位置に対して回転すると、通気溝と中心軸の中空腔の内部とが連通しておらず、空気が入る時に前記水ボトルの水は前記通気溝を溢れないことを特徴とする請求項７に記載の蛇口。
【請求項９】
特定の角度に合うブラケットと組み合わせて使用することを特徴とする請求項１に記載の蛇口。
【請求項１０】
前記水ボトルに合うために、前記ロック蓋の内部にはスレッドがあることを特徴とする請求項１に記載の蛇口。
【考案の詳細な説明】
【技術分野】
【０００１】
本考案は、スイッチに関わり、特に蛇口に関するものである。
【背景技術】
【０００２】
従来技術の水ボトルのスイッチは、水ボトルの蛇口構造の開閉のみを提供する。ただし、ミネラルウォーター用の筒状閉鎖水ボトルに対して、水ボトル内の水が蛇口構造を介して流れ出すと、水位が下がるため、ペットボトルのような固定形状の非弾性伸縮の水ボトルでは、閉鎖された水ボトルの内側に負圧がだんだん形成され、水ボトル内の水がスムーズに導出されない。
【０００３】
従来技術の水ボトルのスイッチは、水ボトルの水流を開閉する機能のみを提供し、ミネラルウォーター用又は蒸留水用の水ボトルに対して、傾けて立てる必要がある場合では、通常、蛇口の流出口は垂直に地面に向かって流れ出すことができない。
【考案の概要】
【考案が解決しようとする課題】
【０００４】
本考案は、従来技術の問題を解決するために、蛇口を提供する。
【課題を解決するための手段】
【０００５】
本考案の目的は、水ボトルと連結する蛇口を提供する。水栓は係合部の位置に対して回転し、前記水ボトルの内外部の気体及び液体のそれぞれ流通構造を形成する。蛇口は、前記水ボトルの外部の空気が前記蛇口を介して前記水ボトルの内部に流れ込むための気体及び液体を流通する異なるチャネルを有するので、前記水ボトルの内部の液体が前記蛇口を介して前記水ボトルの外部に流れ込む時に、水ボトル内に負圧が生成するにより流れ込みにくくなてしまうことを避ける。従って、本考案の蛇口は、気孔と通気溝との対応連通によって、前記水ボトルの外部の空気が前記蛇口を介して前記水ボトルの内部に流れ込む技術手段、及び導水孔と水孔との対応連通によって、前記水ボトルの内部の液体が前記蛇口を介して前記水ボトルの外部に流れ込む技術手段を形成し、具体的には、水ボトル中の負圧を低減し、水ボトル内の液体の流れ出しを加速する効果を取得する。また、接続部と栓溝とは１つの傾斜角で接合し、前記傾斜角は、前記水ボトルの傾斜に対応して前記栓溝を固定し、軸腔を形成した出水口が地面に向かう方向に前記水ボトル内の液体を導出する技術手段を有する。前記傾斜角は、水ボトルを異なる傾斜放置環境に配置するのに適する０度〜９０度の形態を有し、具体的には、水ボトル内の液体の流れ出しを加速する効果を達成する。
【０００６】
本考案は、従来技術の問題を解決するために採用される技術手段であり、該技術手段は蛇口を提供する。前記蛇口は、係合部及び水栓を備える。前記係合部は接続部を含み、前記接続部の一端が１つの傾斜角度で前記係合部の栓溝と連結し、他端には水ボトルをロックして連結するためのロック蓋がある。前記水栓は、前記係合部の栓溝内に穿設することで、前記係合部の位置に対して回転し、前記水ボトルの内外部の気体及び液体のそれぞれ流通構造を形成し、よって、前記水ボトルの外部の空気が前記蛇口を介して前記水ボトルの内部に流れ込んで前記水ボトルの内圧を維持し、且つ、前記水ボトルの内部の液体が前記蛇口を介して前記水ボトルの外部に流れ込む。なお、前記接続部と前記栓溝との連結位置には気孔及び導水孔があり、前記傾斜角度は前記水ボトルを傾斜させた時に、前記気孔の地面からの水平位置が前記導水孔の地面からの水平位置より高くなり、前記傾斜角度は０度〜９０度である。
【０００７】
本考案の実施例にかかる蛇口において、前記水栓は、中心軸及びレバーを含む。前記中心軸は、中空の軸腔と、通気溝及び水穴を有する。前記水穴は前記中心軸を穿設し、前記中心軸の中空腔の内部と外部の連通孔径を形成する。前記通気溝は、前記中心軸の外面側に位置する凹溝であり、前記中心軸の中空腔の内部と連通しない。前記レバーは、トップカバーを介して前記中心軸と連結して前記中心軸を回転する。
【０００８】
本考案の実施例にかかる蛇口において、前記水栓は、前記係合部に対して前記中心軸方向に沿って第２の位置まで回転すると、前記水ボトルの内外部の気体の流通構造を形成し、前記気孔と前記通気溝との対応連通によって、前記水ボトル外部の空気が前記蛇口を介して前記水ボトル内部に流れ込んで前記水ボトルの内圧をバランスさせる。
【０００９】
本考案の実施例にかかる蛇口において、前記水栓は、前記係合部に対して前記中心軸方向に沿って第１の位置まで回転すると、前記水ボトルの内外部の液体の流通構造を形成し、前記導水孔と前記水孔との対応連通によって、前記水ボトル内部の液体が前記蛇口を介して前記水ボトル外部に流れ込む。
【００１０】
本考案の実施例にかかる蛇口において、前記蛇口は、オフから回転してオンにする時に、まず前記第１の位置から前記第２の位置まで移動し、前記導水孔の孔径が前記気孔の孔径より大きくなり、前記中心軸が前記第１の位置まで回転すると、前記中心軸の水孔が前記導水孔と連通し、この後、前記中心軸が前記第２の位置まで回転すると、前記中心軸の通気溝が前記気孔と再び連通し、前記蛇口が前記水孔及び前記導水孔を介して前記水ボトル内の液体を流通する。
【００１１】
本考案の実施例にかかる蛇口において、前記傾斜角度は、前記水ボトルに対応して傾斜した後に前記栓溝を固定ように設置され、且つ、前記軸腔を形成した出水口が地面に垂直する方向に前記水ボトル内の液体を導出する。
【００１２】
本考案の実施例にかかる蛇口において、前記水栓は前記係合部の位置に対して回転すると、前記通気溝と前記中心軸の中空腔の内部とが連通しておらず、空気が入る時に前記水ボトルの水は前記通気溝を溢れない。
【００１３】
本考案の実施例にかかる蛇口において、特定の角度に合うブラケットと組み合わせて使用する。
【００１４】
本考案の実施例にかかる蛇口において、前記水ボトルに合うために、前記ロック蓋の内部にはスレッドがある。
【図面の簡単な説明】
【００１５】
【図１Ａ】図１Ａは本考案の実施例にかかる蛇口により、水栓を示す斜視図であり、
【図１Ｂ】図１Ｂは本考案の実施例にかかる蛇口により、係合部を示す斜視図であり、
【図１Ｃ】図１Ｃは本考案の実施例にかかる蛇口により、水栓と係合部とを組み合わせた後の斜視図であり、
【図１Ｄ】図１Ｄは本考案の実施例にかかる蛇口により、水栓と係合部とを組み合わせた後の断面を示す図である。
【図２Ａ】図２Ａは本考案の実施例にかかる蛇口により、係合部の断面を示す図であり、
【図２Ｂ】図２Ｂは本考案の実施例にかかる蛇口により、係合部を示す斜視図であり、
【図２Ｃ】図２Ｃは本考案の実施例にかかる蛇口により、係合部を示す底面図であり、
【図２Ｄ】図２Ｄは本考案の実施例にかかる蛇口により、係合部を示す斜視図であり、
【図２Ｅ】図２Ｅは本考案の実施例にかかる蛇口により、係合部を示す側面図であり、
【図２Ｆ】図２Ｆは本考案の実施例にかかる蛇口により、傾斜角４５度の係合部を示す斜視図であり、
【図２Ｇ】図２Ｇは本考案の実施例にかかる蛇口により、傾斜角０度の係合部を示す斜視図であり、
【図２Ｈ】図２Ｈは本考案の実施例にかかる蛇口により、傾斜角９０度の係合部を示す斜視図である。
【図３Ａ】図３Ａは本考案の実施例にかかる蛇口により、水栓を示す上面図であり、
【図３Ｂ】図３Ｂは本考案の実施例にかかる蛇口により、水栓を示す側面図であり、
【図３Ｃ】図３Ｃは本考案の実施例にかかる蛇口により、水栓の断面を示す図であり、
【図３Ｄ】図３Ｄは本考案の実施例にかかる蛇口により、水栓を示す斜視図であり、
【図３Ｅ】図３Ｅは本考案の実施例にかかる蛇口により、水栓を示す底面図である。
【図４Ａ】図４Ａは本考案の実施例にかかる蛇口により、傾斜角４５度の蛇口が水ボトルと連結された後の斜視図であり、
【図４Ｂ】図４Ｂは本考案の実施例にかかる蛇口により、傾斜角０度の蛇口が水ボトルと連結された後の斜視図であり、
【図４Ｃ】図４Ｃは本考案の実施例にかかる蛇口により、傾斜角９０度の蛇口が水ボトルと連結された後の斜視図である。
【考案を実施するための形態】
【００１６】
以下は、図１Ａ〜図４Ｃに基づいて本考案の実施形態を説明する。該説明は、本考案の実施形態を制限するものではなく、本考案の実施例の１つである。
【００１７】
図１Ａ〜図１Ｄ及び図４に示すように、本考案の実施例にかかる蛇口１０は、係合部３０及び水栓２０を備える。前記係合部３０の一端が水ボトルと連結する。前記水栓２０は、前記係合部３０に穿設され、前記係合部３０の位置に対して回転し、前記水ボトルの内外部の気体及び液体のそれぞれ流通構造を形成して、前記水ボトルの外部の空気が前記蛇口１０を介して前記水ボトルの内部に流れ込み、前記水ボトルの内部の液体が前記蛇口１０を介して前記水ボトルの外部に流れ込む。
【００１８】
図１Ａ〜図１Ｄ及び図４に示すように、本考案の実施例にかかる蛇口１０において、前記係合部３０は、ロック蓋３１と、接続部３４及び栓溝３２を含む。前記ロック蓋３１の一端は前記水ボトルをロックする。前記接続部３４の一端は前記ロック蓋３１と連結する。前記接続部３４の他端は前記栓溝３２と連結し、且つ、前記接続部３４は前記栓溝３２と共に気孔及び導水孔３１３を有する。図２Ａを参照し、前記ロック蓋３１の一端はスレッド３１１を介して回転し、前記水ボトルをロックするが、本考案がこれに制限されない、前記ロック蓋３１はプラグを介してロックしてもよい。
【００１９】
図１Ａ〜図４Ｃに示すように、本考案の実施例にかかる蛇口１０において、前記水栓２０は中心軸２４及びレバー２３を含む。前記中心軸２４は、中空の軸腔２４１と、通気溝２２及び水穴２１を有する。前記水穴２１は前記中心軸２４を穿設し、前記中心軸２４の中空腔の内部と外部との連通孔径を形成する。前記通気溝２２は前記中心軸２４の外面側に位置する凹溝であり、前記通気溝２２は前記中心軸２４の中空腔の内部と連通しない。前記レバー２３はトップカバー７を介して前記中心軸２４と連結して、前記中心軸２４を回転する。図１Ｄに示すように、本考案は、前記通気溝２２と前記中心軸２４の中空腔の内部との連通しない技術手段、及び前記水穴２１が前記中心軸２４を穿設して前記中心軸２４の中空腔の内部と外部との連通孔径を形成する技術手段を有し、よって、閉鎖された水ボトル中の気体及び液体が流通するチャネルを連通させておらず、水ボトル中の気体及び液体がそれぞれ流通し、閉鎖された水ボトル中から外への液体の流れをスムーズに加速することで、従来技術の筒状閉鎖水ボトル中の水が蛇口構造を介して流れ出す時に、水位が下がるにより閉鎖された水ボトルの内側に負圧がだんだん形成し、水ボトル中の水がスムーズに導出できなくなる欠点を克服する。また、図１Ａ、図１Ｂ、図１Ｄ、図２Ａ、図２Ｃ、図３Ｂ及び図３Ｄを参照し、本考案の実施例にかかる蛇口１０において、本考案の前記接続部３４と前記栓溝３２との連結位置には気孔３１２及び導水孔３１３があり、前記傾斜角度は、前記水ボトルを傾斜させた時に、前記気孔３１２の地面からの水平位置が前記導水孔３１３の地面からの水平位置より高くなる。図２Ｆ〜図２Ｈ及び図４Ｂ〜図４Ｃに示すように、本考案の実施例にかかる蛇口１０において、前記傾斜角は、水ボトル５１を異なる傾斜放置環境に配置するのに適する０度〜９０度の形態を有し、前記導水孔３１３の孔径は前記気孔３１２の孔径より大きい、前記中心軸２４が第１の位置まで回転すると、前記中心軸２４の水孔が前記導水孔３１３と連通し、この後、前記中心軸２４が第２の位置まで回転すると、前記中心軸２４の通気溝２２が前記気孔３１２と再び連通し、前記蛇口１０が前記水孔２１及び前記導水孔３１３を介して前記水ボトル５１内の液体を流通する。
【００２０】
図１Ａ〜図４Ｃに示すように、本考案の実施例にかかる蛇口１０は閉鎖された水ボトルの内側に負圧がだんだん形成することを克服する構造であり、なお、前記水栓２０は前記係合部３０の位置に対して回転し、前記水ボトル５１の内外部の気体のそれぞれ流通構造を形成し、前記中心軸２４を回転し、前記気孔と前記通気溝２２との対応連通によって、前記水ボトル５１の外部の空気が前記蛇口１０を介して前記水ボトル５１の内部に流れ込む。
【００２１】
図１Ａ〜図４Ｃに示すように、本考案の実施例にかかる蛇口１０は閉鎖された水ボトル５１の内側に負圧がだんだん形成することを克服する構造であり、なお、前記水栓２０は前記係合部３０の位置に対して回転し、前記水ボトル５１の内外部の液体のそれぞれ流通構造を形成し、前記中心軸２４を回転し、前記導水孔３１３と前記水穴２１との対応連通によって、前記水ボトル５１の内部の液体が前記蛇口１０を介して前記水ボトル５１の外部に流れ込む。
【００２２】
図１Ａ〜図４Ｃに示すように、本考案の実施例にかかる蛇口１０により、前記水栓２０は前記係合部３０の位置に対して回転し、前記水ボトル５１の内外部の液体の互いに流通しない構造を形成し、前記中心軸２４を回転し、前記導水孔３１３と前記水穴２１との対応連通しないことによって、前記水ボトル５１の内部の液体が前記蛇口１０を介して前記水ボトル５１の外部に流れ込めない。また、前記水栓２０は前記係合部３０の位置に対して回転し、前記水ボトル５１の内外部の気体の互いに流通しない構造を形成し、前記中心軸２４を回転し、前記気孔と前記通気溝２２との対応連通しないことによって、前記水ボトル５１の空気が前記蛇口１０を介して前記水ボトル５１の内部に流れ込めない。従って、本考案の実施例にかかる蛇口１０は、レバー２３又は中心軸２４を回転して液体及び気体をそれぞれ同時に流通する技術手段、及び液体及び気体をそれぞれ同時に流通しない技術手段を有する。図４に示すように、蛇口１０では、前記気孔と前記通気溝２２とが対応連通する場合、気泡５０が前記水ボトル５１の底部側に浮き上がって負圧を低減するので、前記水ボトル５１中の液体が前記水ボトル５１の内部から本考案の蛇口１０を介して前記水ボトル５１の外部にスムーズに流れ出す。
【００２３】
図１Ａ〜図４Ｃに示すように、本考案の実施例にかかる蛇口１０において、前記接続部３４と栓溝３２とは１つの傾斜角で接合し、前記傾斜角は、前記水ボトル５１の傾斜に対応して前記栓溝３２を固定し、前記軸腔２４１を形成した出水口が地面に向かう方向に前記水ボトル５１内の液体を導出する技術手段を有する。図４に示すように、蛇口１０は傾斜するブラケットを有する場合、前記水ボトル５１の接合部が前記水ボトル５１を留めた後に、前記軸腔２４１を形成した出水口が地面に向かう方向に前記水ボトル５１内の液体を導出する技術手段を形成することができる。
【００２４】
本考案の実施例を説明したが、実施例は、例として提示したものであり、考案の範囲を限定することは意図していない。実施例は、その他の様々な形態で実施されることが可能であり、考案の要旨を逸脱しない範囲で、種々の省略、置き換え、変更を行うことができる。実施例やその変形は、考案の範囲や要旨に含まれると同様に、特許請求の範囲に記載された考案とその均等の範囲に含まれるものである。
【符号の説明】
【００２５】
１０…蛇口
２０…水栓
２１…水穴
２２…通気溝
２３…レバー
２４…中心軸
２４１…軸腔
２５…トップカバー
３０…係合部
３１…ロック蓋
３１１…スレッド
３１２…気孔
３１３…導水孔
３２…栓溝
３４…接続部
５０…気泡
５１…水ボトル
１００…係合部
１０１…ロック蓋
１０２…栓溝
１０４…接続部
９０…係合部
９１…ロック蓋
９２…栓溝
９４…接続部
【図１Ａ】
0003228523.tif 000003
【図１Ｂ】
0003228523.tif 000004
【図１Ｃ】
0003228523.tif 000005
【図１Ｄ】
0003228523.tif 000006
【図２Ａ】
0003228523.tif 000007
【図２Ｂ】
0003228523.tif 000008
【図２Ｃ】
0003228523.tif 000009
【図２Ｄ】
0003228523.tif 000010
【図２Ｅ】
0003228523.tif 000011
【図２Ｆ】
0003228523.tif 000012
【図２Ｇ】
0003228523.tif 000013
【図２Ｈ】
0003228523.tif 000014
【図３Ａ】
0003228523.tif 000015
【図３Ｂ】
0003228523.tif 000016
【図３Ｃ】
0003228523.tif 000017
【図３Ｄ】
0003228523.tif 000018
【図３Ｅ】
0003228523.tif 000019
【図４Ａ】
0003228523.tif 000020
【図４Ｂ】
0003228523.tif 000021
【図４Ｃ】
0003228523.tif 000022